(57)【要約】【課題】ディスク回転に伴う流体騒音を効果的に低減できる光ディスク装置を提供する。【解決手段】筐体４０から出没自在に設けられたトレイ５と、トレイと一体に設けられたユニットメカ６と、ディスクを回転自在に支持するターンテーブル９ａと、ターンテーブルに支持されるディスクを外周から囲むようにトレイに形成され、ターンテーブルの回転中心を中心とする円弧形状を有する複数の壁面部５ｂ〜５ｄと、ディスク４の径方向に沿って直線移動するピックアップ１０と、ピックアップの移動を確保するために、ピックアップの移動軌道上に位置する壁面部５ｅに設けられた開口部５６を備え、壁面部５ｅは、他の壁面部と比較してターンテーブルの外周側に後退されている。【選択図】図２
2010027190.tif 000002
【特許請求の範囲】
【請求項１】
筐体と、
該筐体から出没自在に設けられたトレイと、
該トレイと一体に設けられたユニットメカと、
該ユニットメカに備えられディスクを回転自在に支持するターンテーブルと、
該ターンテーブルを回転させるスピンドルモータと、
前記ターンテーブルの径方向に沿って前記ユニットメカ内を直線移動するピックアップと、
前記ターンテーブルに支持されるディスクの裏面と対向する範囲に、前記トレイに形成された平坦部と、
前記ターンテーブルの回転中心を中心とする円弧状に形成された壁面部を前記平坦部側に有し、前記平坦部を囲むように前記トレイに分散して形成された複数の高台部とを備え、
前記複数の高台部のうち前記ユニットメカが下方に配置されている高台部における前記平坦部側の壁面部には、前記ピックアップが通過する開口部が設けられており、
該開口部が設けられた壁面部の少なくとも一部は、他の高台部の前記壁面部と比較して前記ターンテーブルの外周側に後退されていることを特徴とする光ディスク装置。
【請求項２】
請求項１記載の光ディスク装置において、
前記ユニットメカが下方に配置されている高台部の側面には、前記開口部を介して導入される気流を前記トレイの側方へ排出する迂回開口部が設けられており、
該迂回開口部は、前記平坦部より高い位置に設けられていることを特徴とする光ディスク装置。
【請求項３】
請求項１記載の光ディスク装置において、
前記開口部が設けられた壁面部における前記ターンテーブルの回転方向の下流側は、前記他の高台部の前記壁面部よりも前記ターンテーブルの外周側に後退されていることを特徴とする光ディスク装置。
【請求項４】
請求項１記載の光ディスク装置において、
前記開口部が設けられた壁面部における周方向の中央部分は、前記他の高台部の前記壁面部よりも前記ターンテーブルの外周側に後退されていることを特徴とする光ディスク装置。
【請求項５】
請求項１記載の光ディスク装置において、
前記開口部が設けられた壁面部における周方向の両端は、前記ターンテーブルの径方向において前記他の壁面部の径相当まで直線的に接続されていることを特徴とする光ディスク装置。
【請求項６】
筐体と、
該筐体から出没自在に設けられたトレイと、
該トレイと一体に設けられたユニットメカと、
該ユニットメカに備えられディスクを回転自在に支持するターンテーブルと、
該ターンテーブルを回転させるスピンドルモータと、
前記ターンテーブルの径方向に沿って前記ユニットメカ内を直線移動するピックアップと、
前記ターンテーブルに支持されるディスクの裏面と対向する範囲に、前記トレイに形成された平坦部と、
前記ターンテーブルの回転中心を中心とする円弧状に形成された壁面部を前記平坦部側に有し、前記平坦部を囲むように前記トレイに分散して形成された複数の高台部とを備え、
前記複数の高台部のうち前記ユニットメカが下方に配置されている高台部における前記平坦部側の壁面部には、前記ピックアップが通過する開口部が設けられており、
前記ユニットメカが下方に配置されている高台部の側面には、前記開口部を介して導入される気流を前記トレイの側方へ排出する迂回開口部が設けられており、
該迂回開口部は、前記平坦部より高い位置に設けられていることを特徴とする光ディスク装置。
【発明の詳細な説明】
【技術分野】
【０００１】
光ディスクへの情報の記録及び再生を行う光ディスク装置に関する。
【背景技術】
【０００２】
光ディスク装置は、ＣＤ（Compact Disc）、ＤＶＤ（Digital Versatile Disc）、ＢＤ（Blue-ray Disc）等の光ディスク（直径約１２０ｍｍ）への情報の記録及び再生を行うもので、ノート型、デスクトップ型、タワー型等のパーソナルコンピュータだけでなく、家庭用録画再生機、ゲーム機等にも広く搭載されている。例えば、ノート型及びデスクトップ型のパーソナルコンピュータでは、トレイ方式の薄型の光ディスク装置が主に用いられる。このトレイ方式の光ディスク装置では、スピンドルモータやピックアップ等の主要部品がトレイの裏面に装着されている。そして、光ディスク（ディスク）の脱着の際には、トレイと共にこれらの主要部品が筐体の前方に突出するという特徴がある。
【０００３】
ところで、近年、光ディスク装置の記録・再生速度の向上に伴い、ディスクを高速回転させて使用することが多くなっている。そのため、ディスクを回転させるスピンドルモータや装置各部の振動に起因する機械的騒音や、ディスクの回転で形成される旋回空気流による流体騒音等、騒音の増大が問題となっている。前者の機械的騒音は、スピンドルモ−タを含む部品や部品接触部等への振動抑制対策によって徐々に低減されてきている。一方、後者の流体騒音の低減に関しては、薄型の光ディスク装置では内部の構造や寸法に対する制約があるため、検討や対策は十分でなかった。
【０００４】
トレイ方式の薄型の光ディスク装置における流体騒音の低減技術としては、例えば、ディスク裏面と対向するトレイの平坦部と、ディスクの外周を囲むように配された壁面部のどちらか一方或いは両方に対し、ディスクの旋回空気流をトレイの下方に流出させるための切り欠き穴を形成したものがある（特許文献１）。
【０００５】
【特許文献１】特許第３７８８８８８号公報
【発明の開示】
【発明が解決しようとする課題】
【０００６】
しかしながら上記技術は、流体騒音の支配的な発生源となるディスク周囲の高速な旋回空気流をトレイの上方から下方に導いて、切り欠き穴によってディスク下面からの流れの剥離を促して騒音低減を図るもので、いわば間接的な対策に過ぎない。そのため、ディスク周囲で特に顕著な騒音源となる旋回空気流の分岐点、合流点及び剥離点等に直接的に対策を講じた場合と比較すると、騒音低減の効果は一般的に限られる傾向がある。
【０００７】
また、本願の発明者らが流体解析で確認したトレイの上下の静圧分布では、トレイの上方では旋回空気流によってディスクの内周から外周に向かって静圧が高くなるが、トレイの下方では流れが少ないため概ね一様になっていることが知見された。すなわち、トレイの上下の静圧差は、ディスクの内周から中周部分では下方が相対的に高圧となり、ディスクの外周やその外側では下方が相対的に低圧となることが知見された。したがって、トレイの下方に流れを流出させる上記の切り欠き穴は、トレイの平坦部の外周側やその外側の壁面部に設けられる場合にのみ有効となり、ディスクの下面全体で実際に得られる騒音低減の効果は想定したよりもさらに限られてくる。
【０００８】
本発明の目的は、ディスク回転に伴う流体騒音を効果的に低減できる光ディスク装置を提供することにある。
【課題を解決するための手段】
【０００９】
本発明は、上記目的を達成するために、筐体から出没自在に設けられたトレイと、該トレイと一体に設けられたユニットメカと、該ユニットメカに備えられディスクを回転自在に支持するターンテーブルと、該ターンテーブルに支持されるディスクを外周から囲むように前記トレイに形成され、前記ターンテーブルの回転中心を中心とする円弧形状を有する複数の壁面部と、前記ユニットメカに備えられ前記ターンテーブルの径方向に沿って前記トレイ内を直線移動するピックアップと、該ピックアップの移動を確保するために、前記複数の壁面部のうち前記ピックアップの移動軌道上に位置する壁面部に設けられた開口部とを備え、前記開口部が設けられた壁面部の少なくとも一部は、他の壁面部と比較して前記ターンテーブルの外周側に後退しているものとする。
【発明の効果】
【００１０】
本発明の光ディスク装置によれば、ディスク回転に伴う流体騒音を効果的に低減させることができる。
【発明を実施するための最良の形態】
【００１１】
以下、本発明の実施の形態を図面を用いて説明する。
【００１２】
図１は本発明の第１の実施の形態である光ディスク装置の概略構造を示す分解斜視図であり、図２はそのトップカバーを除いた平面図であり、図３は図２中の線Ｃ−Ｃにおける部分断面図である。以下においては、各図中に示すように、光ディスク装置１のフロントパネル７側を「前（前面）」、回路基板１５側を「奥（背面）」、前面から背面に向かって右側を「右（右側面）」、前面から背面に向かって左側を「左（左側面）」と称することがある。
【００１３】
これらの図に示す光ディスク装置１は、筐体４０と、トレイ５と、ユニットメカ６を備えている。光ディスク装置１は、主として、ノート型やデスクトップ型のパーソナルコンピュータに用いられるトレイ方式で薄型のもので、直径約１２０ｍｍ等の光ディスク（ディスク）４の記録・再生を行うものである。
【００１４】
筐体４０は、光ディスク装置１を構成する部品が収納される箱状のもので、光ディスク装置１の上下面、左右側面、及び背面となるトップケース２とボトムケース３を備えている。筐体４０の中には、主に、トレイ５と、ユニットメカ６と、回路基板１５が納められている。回路基板１５は、トレイ５に取り付けられたユニットメカ６とフレキシブルプリント配線板１６を介して接続されており、ユニットメカ６と制御処理及び信号処理の情報の受け渡しを行っている。
【００１５】
トレイ５は、その左右両側面に設けられたガイドレール８を介して筐体４０に取り付けられており、ガイドレール８によって矢印Ａ（図１等参照）で示す前後方向に摺動して筐体４０から出没自在となっている。このような構造はトレイ方式と称される。光ディスク装置１の前面となるフロントパネル７は、トレイ５の前面側に装着されている。また、トレイ５は、ターンテーブル９ａ（後述）に載置されるディスク４の裏面と対向する平坦部５ａと、平坦部５ａの外周を囲むように分散して形成された高台部５０ｂ，５０ｃ，５０ｄ，５０ｅを備えている。  
【００１６】
平坦部５ａの一部には、ユニットメカ６を取り付けるための切り欠き部３１が設けられている。本実施の形態の切り欠き部３１は、トレイ５の中央部分から左側面前側に向かって設けられている。ユニットメカ６は、切り欠き部３１を介して下方からトレイ５に固定されている。
【００１７】
ユニットメカ６は、その躯体であるメカシャシ１２と、メカシャシ１２の上面を覆うユニットカバー１３と、メカシャシ１２を下面から覆って支持するアンダーカバー１４と、ディスク４を回転自在に支持するターンテーブル９ａと、図２に示すディスク回転方向Ｒ（装置上方からみて時計回り）にターンテーブル９ａを回転させるスピンドルモータ９（図３参照）と、ディスク４の情報の記録・再生を行うレーザ及びレーザ駆動ＩＣ等を有するピックアップ１０を備えている。
【００１８】
ユニットカバー１３は、トレイ５の平坦部５ａとほぼ同じ高さに位置し、平坦部５ａとともに平面を形成している。ユニットカバー１３には、レンズ等が備えられたピックアップ１０の中央部とターンテーブル９ａを外部に露出させるための中央開口３０（図２参照）が設けられている。中央開口３０は、ターンテーブル９ａのために設けた円形開口部３０ａと、ピックアップ１０のために設けた矩形開口部３０ｂから成っている。矩形開口部３０ｂは、ピックアップ１０の移動軌道であるターンテーブル９ａの径方向Ｂ（ディスク４の径方向）に沿って設けられており、円形開口部３０と一体となって中央開口３０を形成している。
【００１９】
ピックアップ１０は、ユニットメカ６内において所定の間隔で対向配置された１対のガイドバー１１（図２参照）に摺動可能に取り付けられており、この１対のガイドバー１１によって規定される移動軌道上をターンテーブル９ａの径方向Ｂに沿って移動する。ピックアップ１０は、ガイドバー１１上を移動しながら、回転するディスク４との情報のやり取りをレーザ光により行う。
【００２０】
トレイ５の高台部５０ｂ，５０ｃ，５０ｄ，５０ｅは、それぞれ、平坦部５ａよりディスク４寄りに高く突出した凸状の部分で、平坦部５ａを取り囲むようにトレイ５の四隅や前側に形成されている。高台部５０ｂは、トレイ５の左側面の奥側に位置するもので、円弧状の壁面部（左奥側壁面部）５ｂを平坦部５ａ側（ディスク４側）に有している。高台部５０ｃは、トレイ５の右側面の奥側に位置するもので、壁面部５ｂと同様に円弧状に形成された壁面部（右奥側壁面部）５ｃを平坦部５ａ側に有している。高台部５０ｄは、トレイ５の右側面の前側に位置するもので、壁面部５ｂと同様に円弧状に形成された壁面部（右前側壁面部）５ｄを平坦部５ａ側に有している。壁面部５ｂ，５ｃ，５ｄは、それぞれターンテーブル９ａの回転中心を中心とする同心円の円弧状に形成されており、同一の円周（内径線１８）上に形成されている。すなわち、壁面部５ｂ，５ｃ，５ｄは、ディスク４を外周から囲むようにトレイに配置されている。
【００２１】
一方、高台部５０ｅは、トレイ５の左側面の前側に形成されるもので、平坦部５ａ側に設けられた壁面部（前側庇状壁面部）５ｅを有している。高台部５０ｅの下方には、切り欠き部３１に固定されたユニットメカ６と、中央開口３０の矩形開口部３０ｂが位置している。すなわち、高台部５０ｅ内にはユニットメカ６の外周部分（ピックアップ１０をディスク４の外周部分まで移動させるため、ディスク４の外側にまで延在している部分）が収められており、壁面部５ｅはピックアップ１０の移動軌道上に設けられている。そのため、壁面部５ｅには、ピックアップ１０が通過する開口部５６が設けられている。開口部５６は、ユニットメカ６の上面から所定高さまで壁面部５ｅを切り欠いた部分で、切り欠き部３１と連なっている。なお、本実施の形態の壁面部５ｅの断面形状は、図３に示すようにディスク４側において庇形状になっており、壁面部５ｅとユニットメカ６の間隙（開口部５６）ができるだけ大きくなるように形成されている。
【００２２】
壁面部５ｅの一部（径拡大切り欠き部１７）は、他の壁面部５ｂ，５ｃ，５ｄが位置する内径線１８と比較して、ターンテーブル９ａの径方向外側（外周側）に後退されている。本実施の形態の径拡大切り欠き部１７は、壁面部５ｅの中央に位置する円弧部１９と、円弧部１９の両端において内径線１８へ向かって直線的に接続する直線部２０ａ，２０ｂとによって形成されている。すなわち、本実施の形態の径拡大切り欠き部１７は、円弧部１９の周方向中央部を基準として、ほぼ対称形に形成されている。ここでは、直線部２０ａ，２０ｂのうち、ディスク４の回転によって発生する旋回空気流２１の流れの上流側に位置するものを上流側直線部２０ａとし、下流側に位置するものを下流側直線部２０ｂとする。
【００２３】
上記のように構成される光ディスク装置１において、スピンドルモータ９によってディスク４が回転されると、図２及び図３に示すように、旋回空気流２１がディスク４の上下面に沿って発生する。これにより壁面部５ｅの近傍では、ディスク４の外縁から開口部５６を介して高台部５０ｅ内に流入する潜り込み流２２が旋回空気流２１の上流側に形成され、高台部５０ｅ内から開口部５６を介して流出する漏れ出し流２３が旋回空気流２１の下流側に形成される。潜り込み流２２は、壁面部５ｅの上流側直線部２０ａから円弧部１９の中央又はやや下流側までの範囲で高台部５０ｅに流入し、その大半は高台部５０ｅとユニットカバー１３の間を通過した後、漏れ出し流２３として円弧部１９の中央より下流側又は下流側直線部２０ｂから流出する。
【００２４】
ここで、ディスク４の外縁と壁面部５ｅの間の隙間が、他の壁面部５ｂ，５ｃ，５ｄとの隙間と同様に狭くなっていると仮定すると、潜り込み流２２と漏れ出し流２３がディスク４と壁面部５ｅの間に集中してしまうので騒音が発生しやすい。例えば、このように集中した流れがディスク４と衝突すると、ディスク４が振動して騒音の要因となることがある。特に、壁面部５ｅには開口部５６が設けられており、これによる潜り込み流２２と漏れ出し流２３が生じるため、他の壁面部５ｂ，５ｃ，５ｄと比較して流れの集中による騒音が発生し易い。
【００２５】
これに対して、本実施の形態の壁面部５ｅには径拡大切り欠き部１７が設けられており、ディスク４の外縁と壁面部５ｅとの隙間は、直線部２０ａから円弧部１９に向かって緩やかに拡大した後、円弧部１９から直線部２０ｂに向かって緩やかに縮小している。このようにディスク４の外縁と壁面部５ｅの間隔（隙間）を広くすると、その間隔が狭い場合と比較して潜り込み流２２と漏れ出し流２３がディスク４以外の部分へ逃げ易くなり、流れの集中やディスク４との干渉を低減できる。これにより壁面部５ｅの周辺での流れの乱れが減少するので、流れの乱れに起因する流体騒音を低減することができる。
【００２６】
ところで、一般に、高台部５０ｅ内に入り込んだ潜り込み流２２の流れは、筐体４０の左側面寄りに偏った後に漏れ出し流２３となる傾向がある。そのため、壁面部５ｅとディスク４の外縁の隙間における騒音は、上流側よりも下流側の漏れ出し流２３側で発生し易い傾向がある。したがって、壁面部５ｅ付近の騒音を効率良く低減するためには、高台部５０ｅから漏れ出し流２３が流出してくる部分、すなわち壁面部５ｅの周方向の下流側（ターンテーブル９ａの回転方向の下流側）の部分を内径線１８より後退させて径拡大切り欠き部１７を形成することが好ましい。本実施の形態では、壁面部５ｅの周方向の下流側だけでなく、上流側から下流側に至る全域において隙間を拡大しているので、騒音が発生し易い下流の漏れ出し流２３とともに、下流側より騒音低減への寄与は少ないものの上流の潜り込み流２２による騒音も低減することができ、効率的である。
【００２７】
上記のように、本実施の形態の光ディスク装置によれば、顕著な騒音源となる旋回空気流の集中を直接的に低減できるので、ディスク回転に伴う流体騒音を効果的に低減することができる。
【００２８】
次に本発明の第２の実施の形態について説明する。
【００２９】
図４は本発明の第２の実施の形態である光ディスク装置のトップカバーを除いた平面図である。なお、先の図と同じ部分には同じ符号を付して説明は省略する（後の図も同様とする）。
【００３０】
この図に示す光ディスク装置は、壁面部５ｅに径拡大切り欠き部１７Ａを備えている点で第１の実施の形態のものと異なる。径拡大切り欠き部１７Ａは、壁面部５ｅの周方向中央付近から筐体４０の左側面寄り（すなわち、ターンテーブル９ａ（ディスク４）の回転方向の下流側寄り）に設けられている。
【００３１】
このように径拡大切り欠き部１７Ａを設けると、ディスク４の外縁と壁面部５ｅの隙間は、上流側直線部２０ａより上流側の部分では他の壁面部５ｂ，５ｃ，５ｄと同様に狭いものの、上流側直線部２０ａから円弧部１９、そして下流側直線部２０ｂに至る範囲において広くできる。これにより、潜り込み流２２の流入部分付近では、第１の実施の形態ほどではないが、隙間が狭い場合と比較してある程度まで流れの集中とディスク４の外縁との干渉が低減されるので、流れの乱れに起因する流体騒音を低減することができる。また、漏れ出し流２３の流出部分付近では、第１の実施の形態と同程度まで流れの集中とディスク４の外縁との干渉が低減されるので、流れの乱れに起因する流体騒音を低減することができる。ところで、壁面部５ｅとディスク４の外縁の隙間での騒音は、既に述べたように、下流側の漏れ出し流２３によって発生しやすい傾向がある。したがって、本実施の形態によれば、第１の実施の形態と比較して上流側での効果がやや劣るものの、壁面部５ｅの周方向の上流側と下流側での流体騒音を抑えることができる。すなわち本実施の形態のような径拡大切り欠き部１７Ａを設けても、ディスク回転に伴う流体騒音を効果的に低減させることができる。
【００３２】
次に本発明の第３の実施の形態について説明する。
【００３３】
図５は本発明の第３の実施の形態である光ディスク装置のトップカバーを除いた平面図であり、図６は図５中の線Ｃ−Ｃにおける部分断面図である。
【００３４】
これらの図に示す光ディスク装置は、高台部５０ｅが位置するトレイ５の左側面の前方に複数の迂回開口部２４を備えている点で先の実施の形態のものと異なる。各迂回開口部１４は、開口部５６を介して導入される潜り込み流２２の一部をトレイ５の外部へ排出するもので、高台部５０ｅの左側面に設けられている。迂回開口部１４は、平坦部５ａより高い位置に設けられており、高台部５０ｅの内部から、トレイ５の左側面と筐体４０の左内側面が形成する隙間（すなわち、ガイドレール８等の上方に相当）へと連通している。
【００３５】
既に述べたように、ディスク４の回転により発生する旋回空気流２１は潜り込み流２２として高台部５０ｅの内部に流入し、その潜り込み流２２は漏れ出し流２３として高台部５０ｅの内部から流出する。ここで壁面部５ｅの側面に上記の迂回開口部２４を設けると、高台部５０ｅに流入してユニットカバー１３との間を通過する流れの多くが、迂回開口部２４を通過してトレイ５の側面側の隙間を流れる迂回流２５となるので、高台部５０ｅから流出する漏れ出し流２３が少なくなる。このとき、迂回流２５は、筐体４０とトレイ５の隙間を通過した後、高台部５０ｅと高台部５０ｂの間等を介し、広い範囲でディスク４の外縁と合流することになるので、局所的に集中することなくディスク４側に戻される。一方、高台部５０ｅからの漏れ出し流２３は迂回流２５の分だけ流量が減少しているので、ディスク４と壁面部５ｅの間の流れの集中は迂回開口部２４が無い場合と比較して低減される。これにより漏れ出し流２３がディスク４の外縁と合流する際に発生する流れの乱れが低減されるので、乱れに起因する流体騒音を低減することができる。このように、本実施の形態によれば、迂回開口部２４によって漏れ出し流２３の流量を低減できるので、ディスク回転に伴う流体騒音を効果的に低減させることができる。
【００３６】
なお、上述のように、高台部５０ｅ内における潜り込み流２２はディスク４の回転方向の下流側に偏在することになるので、潜り込み流２２を効率良くトレイ５外へ迂回させるために、迂回開口部２４はターンテーブル９ａの回転方向（ディスク４の回転方向）の下流側に設けることが好ましい。また、迂回開口部２４は、トレイ５の強度が許す限り、できるだけ数多く設けることが好ましい。
【００３７】
次に本発明の第４の実施の形態について説明する。
【００３８】
図７は本発明の第４の実施の形態である光ディスク装置のトップカバーを除いた平面図である。図７に示した光ディスク装置１は、第１の実施の形態と第３の実施の形態を組み合わせたものに相当し、径拡大切り欠き部１７と迂回開口部２４を備えている。
【００３９】
第１の実施の形態で説明したように壁面部５ｅに径拡大切り欠き部１７を形成すると、ディスク４の外縁と壁面部５ｅの隙間は、円弧部１９で広く、その両端の直線部２０ａ，ｂでは緩やかに拡大・縮小される形となる。このようにディスク４の外縁との隙間を広く設けると、ディスク４の外縁から高台部５０ｅの内部へ潜り込み流２２が流入する際と、高台部５０ｅの内部からディスク４の外縁付近へ漏れ出し流２３が流出する際において、流れの集中とディスク４の外縁との干渉が低減される。すなわち、壁面部５ｅ周辺におけるディスク４の外縁付近の流れは高速であるが、上記のように径拡大切り欠き部１７によって流れの乱れが減少するので、流れの乱れに起因する流体騒音を低減することができる。
【００４０】
また、第３の実施の形態で説明したように、高台部５０ｅの側面（トレイ５の左側面）に迂回開口部２４を形成すると、高台部５０ｅに流入した流れの多くが迂回開口部２４を通って側面の隙間を流れる迂回流２５となり、迂回流２５とならなかった残りが壁面部５ｅの周方向中央より下流側から流出する漏れ出し流２３となる。迂回流２５は、側面の隙間を通って広い範囲でディスク４の外縁と合流するので、ディスク４の外縁と干渉を起こす可能性は低減される。一方、漏れ出し流２３の流量は迂回流２５の分だけ減っているので、迂回開口部２４がない場合と比較してディスク４の外縁との干渉は低減される。このように、本実施の形態によれば、径拡大切り欠き部１７と迂回開口部２４によって壁面部５ｅの周辺における流れの乱れを低減できるので、流れの乱れに起因する流体騒音を低減できる。
【００４１】
ここで、上記の径拡大切り欠き部１７と迂回開口部２４による騒音低減の作用を対比すると、前者は、径拡大切り欠き部１７によって形成される隙間に潜り込み流２２と漏れ出し流２３を逃がし、主に流れの集中・流速を減らすものである。一方、後者は、壁面部５ｅの下流側の漏れ出し流２３の流量を減らすもので、両者の作用は異なっている。そのため、両者を併用しても互いの騒音低減効果が損なわれることなく、単独の場合の合計に近い効果が得られると考えられる。
【００４２】
そこで発明者らは、本発明の第１、第３、第４の実施の形態に係る光ディスク装置における騒音低減効果を確認する実験を行った。図８は本発明の第１、第３、第４の実施の形態の光ディスク装置において発生する騒音を比較した図である。
【００４３】
実験では、トレイ方式の薄型の光ディスク装置に対して（１）径拡大切り欠き部１７を設けたもの（第１の実施の形態）、（２）迂回開口部２４を設けたもの（第２の実施の形態）、及び（３）これら両方を設けたもの（第４の実施の形態）について、ディスクを高速回転させた状態での騒音を測定し、その測定結果をこれら改良構造を備えない従来の光ディスク装置（基準）の騒音と比較した。その結果、図８に示すように、径拡大切り欠き部１７あるいは迂回開口部２４を設けると、各々で従来のものに比べ騒音低減が得られることが分かった（なお、騒音低減の程度は、径拡大切り欠き部１７や迂回開口部２４の大きさ等の形状に依存して変化する）。そして、径拡大切り欠き部１７と迂回開口部２４の両方を適用すると、従来のものに対する騒音低減は各々の単独の場合の合計近くにまで達することが分かった。これにより、第４の実施の形態のように径拡大切り欠き部１７と迂回開口部２４を併用すれば、ディスク回転に伴う流体騒音をより効果的に低減できることが確認できた。
【図面の簡単な説明】
【００４４】
【図１】本発明の第１の実施の形態である光ディスク装置の概略構造を示す分解斜視図。
【図２】本発明の第１の実施の形態である光ディスク装置のトップカバーを除いた平面図。
【図３】図２中の線Ｃ−Ｃにおける部分断面図。
【図４】本発明の第２の実施の形態である光ディスク装置のトップカバーを除いた平面図。
【図５】本発明の第３の実施の形態である光ディスク装置のトップカバーを除いた平面図。
【図６】図５中の線Ｃ−Ｃにおける部分断面図。
【図７】本発明の第４の実施の形態である光ディスク装置のトップカバーを除いた平面図。
【図８】本発明の第１、第３、第４の実施の形態の光ディスク装置において発生する騒音の比較図。
【符号の説明】
【００４５】
４        ディスク
５        トレイ
５ａ      平坦部
５ｂ〜ｄ  壁面部
６        ユニットメカ
９        スピンドルモータ
９ａ      ターンテーブル
１０      ピックアップ
１１      ガイドバー
１７      径拡大切り欠き部
１８      内径線
１９      円弧部
２０      直線部
２１      旋回空気流
２２      潜り込み流
２３      漏れ出し流
２４      迂回開口部
２５      迂回流
３０      中央開口
３０ａ    円形開口部
３０ｂ    矩形開口部
３１      切り欠き部
４０      筐体
５０ａ〜ｅ  高台部
５６      開口部
【図１】
2010027190.tif 000003
【図２】
2010027190.tif 000004
【図３】
2010027190.tif 000005
【図４】
2010027190.tif 000006
【図５】
2010027190.tif 000007
【図６】
2010027190.tif 000008
【図７】
2010027190.tif 000009
【図８】
2010027190.tif 000010